(57)【要約】【課題】  閉回路を有する回転作業具の駆動やメンテナンス等を油圧力により自動的に行わせるためにバイパス用配管にバイパス弁を有する回転作業具用の油圧閉回路を提供する。【解決手段】  油圧ポンプと回転作業具を取り付けることが可能な油圧モータとを接続した回転作業具用の油圧閉回路において、前記油圧ポンプと前記油圧モータとを接続する管路間にバイパス用配管を設け、前記バイパス用配管内にバイパス弁を設け、前記バイパス弁は、前記油圧ポンプの吐出側の圧力と、前記油圧モータの排出側の圧力に差圧がある場合に、前記バイパス用配管を閉じ、前記差圧がない場合に、前記バイパス用配管を開くように構成されたことを特徴とする。【選択図】  図１
2009281460.tif 000002
【特許請求の範囲】
【請求項１】
油圧ポンプと回転作業具を取り付けることが可能な油圧モータとを接続した回転作業具用の油圧閉回路において、前記油圧ポンプと前記油圧モータとを接続する管路間にバイパス用配管を設け、前記バイパス用配管内にバイパス弁を設け、前記バイパス弁は、前記油圧ポンプの吐出側の圧力と、前記油圧モータの排出側の圧力に差圧がある場合に、前記バイパス用配管を閉じ、前記差圧がない場合に、前記バイパス用配管を開くように構成されたことを特徴とする回転作業具用の油圧閉回路。
【請求項２】
前記バイパス弁は、各ポート側にポペットシート部を備えたボディと、油圧力により前記ボディ内に移動自在に保持されるとともに前記各ポペットシート部に密接又は離接する各ポペットと、両ポペット間に介設されるスプリングにより付勢されたスプリング座とを備え、前記両ポート間の圧力差が前記スプリングのスプリング力を上廻る場合において前記ポペットが前記ポペットシート部に密接すべく形成されるものからなることを特徴とする請求項１に記載の回転作業具用の油圧閉回路。
【発明の詳細な説明】
【技術分野】
【０００１】
本発明は、例えば、産業機械等の回転作業具を駆動するための油圧モータと油圧ポンプとを接続した油圧閉回路に関する。
【背景技術】
【０００２】
産業機械等の作業具を駆動するための油圧駆動装置としては従来より各種のものが採用され、例えは、特許文献１の如きものがある。
【０００３】
特許文献１の特開平５−６０２３７号の油圧駆動装置は、図示のように油圧モータと、油圧ポンプと、これを連結する閉回路等とからなり、閉回路にはバイパス用配管が設けられており、逆止弁等が設けられているものである。
【０００４】
作業具は、停止時にカッターチップ交換等のメンテナンスが行われ、このために、前記のバイパス用配管の内に開閉弁が設けられる。
図５及び図６は開閉弁を有する油圧駆動装置の一例を示すものである。
図５及び図６に示すように、この油圧回路は油圧ポンプ９と、油圧モータ１０と、これ等を連結する閉回路１１と、閉回路１１に形成されているバイパス用配管１２内に介設される開閉弁１４等とからなる。なお、油圧モータ１０にはカッター等の回転作業具１３が連結されてこれを駆動するように形成される。
【０００５】
上記油圧回路においては、図５に示すように、回転作業具１３を駆動する場合にはバイパス用配管１２の開閉弁１４を手作業により閉止し、油圧ポンプ９による油量は直接油圧モータ１０に導入され回転作業具１３が駆動される。
一方、メンテナンス等を必要とする場合には、回転作業具１３を手で回転しなければならないため、手作業で開閉弁１４を開放し、油圧モータ１０とバイパス用配管１２との間で回路を短絡させ、回転作業具１３を手で回転させながら、カッターチップ交換等のメンテナンスを行うようにしている。
【０００６】
以上のように、図５及び図６に示す従来の油圧駆動装置では、開閉弁１４を手動により開閉操作する必要があり面倒であった。なお、この開閉弁１４を電動式のものにして開閉動作を自動化することも考えられるが、自動化のためコストアップになる問題点がある。
【特許文献１】特開平５−６０２３７号（図１）
【発明の開示】
【発明が解決しようとする課題】
【０００７】
本発明は、以上の事情に鑑みて発明されたものであり、バイパス用配管内にバイパス弁を設けて弁の開閉動作を油圧力により自動的に行わせて回転作業具の駆動やメンテナンスの対応を円滑に行わせるようにしたバイパス用配管にバイパス弁を有する回転作業具用の油圧閉回路を提供することを目的とする。
【課題を解決するための手段】
【０００８】
本発明は、以上の目的を達成するために、請求項１の発明は、油圧ポンプと回転作業具を取り付けることが可能な油圧モータとを接続した回転作業具用の油圧閉回路において、前記油圧ポンプと前記油圧モータとを接続する管路間にバイパス用配管を設け、前記バイパス用配管内にバイパス弁を設け、前記バイパス弁は、前記油圧ポンプの吐出側の圧力と、前記油圧モータの排出側の圧力に差圧がある場合に、前記バイパス用配管を閉じ、前記差圧がない場合に、前記バイパス用配管を開くように構成されたことを特徴とする。
【０００９】
また、請求項２の発明は、前記バイパス弁は、各ポート側にポペットシート部を備えたボディと、油圧力により前記ボディ内に移動自在に保持されるとともに前記各ポペットシート部に密接又は離接する各ポペットと、両ポペット間に介設されるスプリングにより付勢されたスプリング座とを備え、前記両ポート間の圧力差が前記スプリングのスプリング力を上廻る場合において前記ポペットが前記ポペットシート部に密接すべく形成されるものからなることを特徴とする。
【発明の効果】
【００１０】
本発明の請求項１の回転作業具用の油圧閉回路によれば、バイパス弁が前記油圧ポンプの吐出側の圧力と、前記油圧モータの排出側の圧力の差により自動閉止され、圧力差がない場合には自動開放されることにより、弁開閉動作が油圧力により自動化され作業の効率化が図れる。また、このバイパス弁は電動式の開閉弁のように自動化のための特別な手段を必要としないため、コスト的にも安価に形成される。
【００１１】
また、本発明の請求項２の回転作業具用の油圧閉回路によれば、バイパス弁の構造がボディ内に収納されて油圧力とスプリング力によって作動されるものからなり、構造簡便で確実に自動開閉されるものからなる。
【発明を実施するための最良の形態】
【００１２】
以下、本発明のバイパス用配管にバイパス弁を有する回転作業具用の油圧閉回路の実施の形態を図面を参照して詳述する。
図１及び図２は本発明の油圧閉回路の開閉動作を示す回路図を示し、図３及び図４は本発明の油圧閉回路に用いられるバイパス弁の構造とその動作を説明するための断面図である。
【００１３】
まず、図３及び図４によりバイパス弁１００の構造を説明する。
バイパス弁１００のボディ１内部には、流路が形成され、その両端にポートが形成される。また、ボディ１の両端のポート側には、ポペット２が移動自在となるように構成されたポペットガイド孔５と、これに連通してスプリング座を収納するスプリング座用孔６と、スプリング座用孔６，６間の中央に開放形成されてスプリング４を収納するスプリング収納用孔７等が形成されている。尚、ポペットガイド孔５とスプリング座用孔６との段部にはポペット２の先端のテーパ部２ａが密接するポペットシート部８が形成される。
スプリング座３は、筒状体として構成され、スプリング４側において、その周部の外径を大きく鍔状に形成してスプリング４の端部が当接するように構成される。また、そのポペットシート部８側は、ポペット２と当接するように平坦部が形成されるとともに、その周部に開口が設けられている。
図４に示すように、油圧の作用しない状態ではボディ１内にポペット２やスプリング座３及びスプリング４が収納され、スプリング４のスプリング力によりスプリング座３が外方に押圧されポペット２がポペットシート部８から離れた状態となる。よってバイパス弁１００は開放状態となりボディ１内の流路には図示のように油の流れが生じる。
【００１４】
図１及び図２に示すように、図３及び図４で示したバイパス弁１００はバイパス用配管１２内に介設される。
図１は回転作業具１３の駆動状態を示すものであり、この場合のバイパス弁１００の内部構造が図３に示されている。即ち、油圧ポンプ９が作動しバイパス弁１００内に流量が発生するとバイパス弁１００内には高圧側と低圧側が生じる。この場合の高圧力はスプリング４のスプリング力より高い値に設定されている。よって、この高圧の油圧力により、高圧側のポペット２がスプリング力に抗してスプリング座３を内部に押圧し、その結果ポペット２の先端のテーパ部２ａがポペットシート部８に圧接し、バイパス弁１００内の油の流通を自動的に遮断する。よってバイパス用配管１２内の油の流れはなくなり、油圧ポンプ９からの油圧力は直接油圧モータ１０に送られ、油圧モータ１０による回転作業具の駆動が行われる。
【００１５】
一方、メンテナンス作業は、回転作業具１３を手で回転させて、ビット交換等を実施する為、回転作業具１３の回転により発生する油圧モータ１０の微少の油の流れ(流量)は、バイパス用配管１２を通って油圧モータ１０へ循環されなければならない。(このバイパス用配管１２が閉じていると油の循環が無い為、回転作業具１３は手で回転させることができない。)
バイパス用配管１２に設置しているバイパス弁１００は、ボディ１の両側の圧力差は微少の流量により発生するだけの差であり、スプリング４のスプリング力より低い為、スプリング座３は、外方に押され、ポペット２のテーパ部２ａがポペットシート部８から離れ、図２の様にバイパス用配管１２と油圧モータ１０内を循環する。そのため、回転作業具１３は、手で回転させることができ、これにより、メンテナンスが円滑に行われる。
【００１６】
以上により、本発明では従来のように手動による弁開閉動作を必要とせず油圧力により自動的に弁開閉が行われ、回転作業具１３の駆動及びメンテナンス作業を容易に行うことができる。
【００１７】
本発明は、以上の説明の如きものからなり、バイパス弁１００も前記の構造のものからなるが、本発明は、以上の内容に限定するものではなく、同一の機能を有するバイパス弁であればよい。
【産業上の利用可能性】
【００１８】
本発明は、回転作業具としては任意のものでよく、例えば、閉回路を有する産業機械全般に適用され、その利用範囲は極めて広い。
【図面の簡単な説明】
【００１９】
【図１】本発明の油圧閉回路における回転作業具の駆動時の状態を示す回路図
【図２】本発明の油圧閉回路における回転作業具のメンテナンス時の状態を示す回路図
【図３】図１の状態におけるバイパス弁の内部状態を示す断面図
【図４】図２の状態におけるバイパス弁の内部状態を示す断面図
【図５】従来の油圧閉回路における回転作業具の駆動時の状態を示す回路図
【図６】従来の油圧閉回路における回転作業具のメンテナンス時の状態を示す回路図
【符号の説明】
【００２０】
１      ボディ
２      ポペット
２ａ    テーパ部
３      スプリング座
４      スプリング
５      ポペットガイド孔
６      スプリング座用孔
７      スプリング収納用孔
８      ポペットシート部
９      油圧ポンプ
１０    油圧モータ
１１    閉回路
１２    バイパス用配管
１３    回転作業具
１４    開閉弁
１００  バイパス弁
【図１】
2009281460.tif 000003
【図２】
2009281460.tif 000004
【図３】
2009281460.tif 000005
【図４】
2009281460.tif 000006
【図５】
2009281460.tif 000007
【図６】
2009281460.tif 000008